(57)【要約】【課題】壁面に腰壁の上端部等の段差があっても取付け位置の調整が容易であり、意匠性に優れ、かつ使用しや易い手摺りの取付け構造を提供する。【解決手段】手摺り本体１の一方の側面を壁面Ｗへの取付け固定面２とし、該取付け固定面２に対応する他方の側面を固定具を打込む打込み面３とし、手摺り本体１の上部に手摺り部４を形成してなる手摺りにおいて、手摺りの取付け固定面２に下方に開放する切欠き段部２１を形成するとともに、上記切欠き段部２１に対向した位置の打込み面３に凹溝部３１を形成し、該凹溝部３１と切欠き段部２１を連通する貫通孔５を複数形成し、該手摺り本体１の切欠き段部２１を壁面Ｗ設けられた腰壁パネルＰに係合し、該凹溝部３１から上記貫通孔５を貫通した固定手段７で該手摺り本体１を腰壁パネルＰに固定してなる手摺り取付け構造Ａ。【選択図】図３
2012246603.tif 000002
【特許請求の範囲】
【請求項１】
手摺り本体の一方の側面を壁面への取付け固定面とし、該取付け固定面に対応する他方の側面を固定具を打込む打込み面とし、手摺り本体の上部に手摺り部を形成してなる手摺りにおいて、手摺りの取付け固定面に下方に開放する切欠き段部を形成するとともに、上記切欠き段部に対応する位置の打込み面に凹溝部を形成し、該凹溝部と切欠き段部とを連通する貫通孔を複数形成し、該手摺り本体の切欠き段部を壁面設けられた腰壁パネルに係合し、該凹溝部から上記貫通孔を貫通した固定手段で該手摺り本体を腰壁パネルに固定してなる手摺り取付け構造。
【発明の詳細な説明】
【技術分野】
【０００１】
本願発明は手摺りに関するものであり、詳しくは、廊下や階段等の壁面に取付けられる手摺りの取付け構造に関するものである。
【背景技術】
【０００２】
従来、手摺りとしては、例えば、壁面に取付けられた本体部に略円筒形状のにぎり部が支持されたものが知られており、特開平８−１１４０１６号公報には上記した構造を有する壁面密着タイプの手摺りが開示されている。
【０００３】
すなわち、上記公報には、長尺な手摺り部材が壁面に密着した状態で取付けられる手摺りにおいて、上記手すり部材に、側面側に壁面への取付面が形成され、上面側に歩行者の下腕部を支持可能な平坦面が形成された本体部と、本体部から歩行者側に延出され、上部側がこの本体部の平坦面より上方に突出するように形成されているにぎり部とを設けてなる壁面密着タイプの手摺りが提案されている。
【０００４】
そして、軽度の足腰弱体者は、手の平を手すり部材のにぎり部に当てつつ歩行し、これより足腰の弱い者は、手すり部材の平坦面に下腕部を当てつつ歩行できるため、歩行者の足腰の弱さの程度にかかわらず、その機能を充分に発揮できるとその効果が記載されている。
【先行技術文献】
【特許文献】
【０００５】
【特許文献１】特開平８−１１４０１６号公報
【発明の概要】
【発明が解決しようとする課題】
【０００６】
上記特許文献１に記載の手摺りにおいては、手すり部材の平坦面に手や下腕部を当てつつ歩行できるという効果はあるが、上記平坦面を手で掴もうとする際に、手摺りに対して横方向あるいは下方から指先を掛ける形状となっているため、上方からしっかりと掴みにくいという問題がある。
【０００７】
また、壁面密着タイプであることから、壁面に、上端面が見切り部を構成するように加工された腰壁が固着されているときは、腰壁の上端部を納めて該壁面に取付ける必要があり、取付け高さの位置調整が困難であるという問題がある。
【０００８】
本願発明は上記実情に鑑みてなされたものであり、取付け位置の調整が容易であり、意匠性に優れ、かつ使用しや易い手摺りの取付け構造を提供することをその目的とする。
【課題を解決するための手段】
【０００９】
上記課題を解決するために、本願請求項１に記載の発明に係る手摺り取付け構造は、手摺り本体の一方の側面を壁面への取付け固定面とし、該取付け固定面に対向する他方の側面を固定具を打込む打込み面とし、手摺り本体の上部に手摺り部を形成してなる手摺りにおいて、手摺りの取付け固定面に下方に開放する切欠き段部を形成するとともに、上記切欠き段部に対応する位置の打込み面に凹溝部を形成し、該凹溝部と切欠き段部とを連通する貫通孔を複数上下に間隔をおいて形成し、該手摺り本体の切欠き段部を壁面設けられた腰壁パネルに係合し、該凹溝部から上記貫通孔を貫通した固定手段で該手摺り本体を腰壁パネルに固定してなることを特徴とする。
【発明の効果】
【００１０】
本願請求項１記載の発明に係る手摺り取付け構造においては、主たる構成要素である手摺り本体の一方の側面を壁面への取付け固定面とし、この取付け固定面に下方に開放する断面逆Ｌ字形の切欠き段部を形成してこの切欠き段部に腰壁パネルの上端部を係合することができるため、腰壁パネル自体が支持部として機能し、手摺り本体をしっかりと支えることができる。
【００１１】
さらに、上記切欠き段部に対応する位置の打込み面に設けた凹溝部から、上記切欠き段部に連通する貫通孔を複数間隔をおいて形成し、この貫通孔を通じて固定手段、例えばネジを螺入することによって手摺り本体を腰壁パネルと壁面とに固定するため、上記した切欠き段部との係合による支持と共同してしっかりと手摺り本体を腰壁パネルに取付けることができる
。
【００１２】
また、手摺り本体の取付け高さは、切欠き段部の天井面と腰壁パネルの上端面との間で距離ｄ分、通常１０ｍｍ〜１５ｍｍだけ隔てるようにして取付け可能とされているため、足腰弱体者が、手摺り部を握って歩行するとき、最も歩行し易い位置に手摺り本体の取付け位置を調整して取付けることができる。
【００１３】
さらに、腰壁パネルの上端見切り部に凹凸が存在したり、平滑でない場合でも手摺り本体が目隠しとなって見切り部を構成し、腰壁パネルと手摺り本体とを意匠性よく一体的に仕舞うことが可能となり、意匠性を高めることができる。また腰壁パネル自体は、使用者の脚部や車椅子の車輪等が当たっても壁面を保護するとともに、廊下や室内の装飾性を向上させるという効果を発揮することができる。
【図面の簡単な説明】
【００１４】
【図１】本願発明に係る手摺り本体を示す部分斜視図。
【図２】（ａ）上記手摺り本体を、壁面の下半分に固着された腰壁パネルの上端部に取付ける形態を示す部分断面説明図。（ｂ）上記手摺り本体を、壁面の下半分に固着された腰壁パネルの上端部からやや上方に取付ける形態を示す部分断面説明図。
【図３】本願発明に係る手摺り取付け構造を示す部分断面説明図。
【発明を実施するための形態】
【００１５】
以下、本願発明に係る手摺り取付け構造の実施形態について図面を参照して詳細に説明する。図１は、上記手摺り取付け構造の主構成要素である手摺り本体１を示す部分斜視図である。
【００１６】
図１に示すように、上記手摺り本体１の一方の側面は後記する腰壁パネルへの取付け固定面２とし、該取付け固定面２に対向する他方の側面をタッピングビス等の固定手段を打込む打込み面３とし、手摺り本体１の上部には手摺り部４が起立して形成されている。上記手摺り部４は、壁面対向面４２と上面４１と上記打込み面３とから構成されている。
【００１７】
図示するように、上記取付け固定面２には、下方に開放する断面逆Ｌ字形の切欠き段部２１が設けられ、上記切欠き段部２１に対向する位置の打込み面３には凹溝部３１が形成されている。
【００１８】
上記手摺り本体１は、床面に対して略平行に、かつ床面から例えば成人のおよそ腰の位置の高さで壁面に固着された腰壁パネルに沿って取付けられる。手摺り本体１は、ＭＤＦ（中密度繊維板）等の木質材からなり、長尺で断面視において略Ｌ字状に形成されており、その表面には樹脂材等からなる表面化粧シート(図示せず)が貼着され一体とされている。
【００１９】
表面化粧シートは、手摺り本体１の全面に貼着してもよいが、少なくとも手摺り本体１の取付け状態において露出する下端面１１、固定手段の打込み面３、起立する手摺り部４の表面である手掛部１２、傾斜面１３および水平面１４等に表面化粧シートが貼着されていることが望ましい。
【００２０】
上記下端面１１の幅寸法はとくに限定されるものではないが、例えば６０ｍｍ〜７０ｍｍ程度とすれば、狭い廊下等に手摺り本体を設置する場合でも邪魔になることなく、コンパクトに構成できる。
【００２１】
また上記打込み面３の縦寸法もとくに限定されるものではないが、例えば７５ｍｍ〜８５ｍｍ程度とすれば、凹溝部３１の縦寸法を適切に形成できその後の手摺り本体１の固定作業が容易となり、また、手摺り本体１としての強度を十分に備えたものとすることができる。上記水平面１４から傾斜面１３を介して凹状に形成された手掛部１２は、手摺り本体１の前方から手で手摺り部４を掴んだ際に指先が引っ掛けられる深さに形成され、握力の弱い高齢者や病人、幼児等が掴み易いように手摺り部４の幅寸法は、２５ｍｍ〜３５ｍｍ程度とすることが望ましい。
【００２２】
図２（ａ）は、本願発明に係る手摺り本体１を、壁面Ｗの下半分に固着された腰壁パネルＰの上端部に取付ける形態を示す部分断面説明図である。該図２（ａ）に示すように、上記手摺り本体１を腰壁パネルＰに取付けた場合、上記手摺り部４を構成する壁面対向面４２と壁面Ｗとは略平行に配置される。
【００２３】
上記手掛部１２から腰壁パネルＰへの取付け固定面２に連なる面には、斜めに傾斜した傾斜面１３が形成されているものとしてもよい。傾斜面１３の傾斜角度はとくに限定されるものではなく、手摺り本体１の大きさ等に応じて適宜設定され、図示するように湾曲した傾斜面１３としてもよい。
【００２４】
このように、手摺り部４と手摺り本体１の水平面１４との間を略直角の角部とはせずに傾斜面１３とすることにより、手摺り部４の強度が安定するとともに手掛部１２から取付け固定面２に連なる面に溜まる埃などを掃除し易いものとすることができる。
【００２５】
さらに、手摺り本体１の下端面１１とネジ等の固定手段の打込み面３との角部、打込み面３と手摺り部４の上面４１とで形成される角部、上記手摺り部４の上面４１と壁面対向部４２との角部等の各角部はそれぞれがＲ加工されているものとしてもよい。また図示していないが、上記の各角部が面取り加工されているものとしてもよい。このようにすることによって、手摺り本体１の上記Ｒ加工された角部に身体の一部が過って強く当たった場合でもその痛手を最少に抑えることができる。また手掛部１２の握り心地がよいものとすることができる。
【００２６】
図２（ａ）に示されているように、上記手摺り本体１の取付け固定面２を切り欠いて形成された切欠き段部２１の天井面２１１は、腰壁パネルＰの上端部と接触し、係合するように取付けられる。このとき、腰壁パネルＰの上端部は切欠き段部２１の天井面２１１と接触しているため、腰壁パネルＰ自体が支持部として機能し、手摺り本体１を壁面Ｗに固定するネジ等の固定手段と共同して、しっかりと手摺り本体１を腰壁パネルＰに取付けることができる。
【００２７】
つぎに、手摺り本体１を腰壁パネルＰに取り付ける方法について説明する。ここでは、固定手段としてネジを用いる場合について述べる。まず、図２（ａ）に示すように、上記打込み面３に形成された凹溝部３１から切欠き段部２１に向けて２個の貫通孔５を穿設する。このとき、貫通孔５の軸がぶれないように治具６を使用し、ドリル等の適当な穿孔手段を用いて図２（ａ）に示す一点鎖線を中心軸として穿たれる。上記貫通孔５の数は、例えば、上下２個の貫通孔５を等間隔で１０列に設ける等、手摺り本体１の長さに応じて設定され、所望の数を穿孔する。穿孔後、上記治具６は取り去られる。
【００２８】
図２（ｂ）は、上記手摺り本体１を、壁面Ｗの下半分に固着された腰壁パネルＰの上端部からやや上方に取付ける形態を示す部分断面説明図である。図２（ｂ）に示すように、手摺り本体１は、切欠き段部２１の天井面２１１が腰壁パネルＰの上端面から距離ｄ分だけ隔てるようにして取付けられる。ここで距離ｄは、通常１０ｍｍ〜１５ｍｍとされる。
【００２９】
このように、手摺り本体１の取付け位置が上記ｄの範囲で微調整が可能であるため、足腰弱体者が、手摺り部４を握って歩行するとき、最も歩行し易い位置に手摺り本体１を取付けることができる。さらに、腰壁パネルＰの上端部に凹凸があったり平滑でない場合でも、手摺り本体１が目隠しをして一体的に仕舞うことが可能となり、すっきりとした外観で手摺り本体１を腰壁パネルＰに取付けることができる。
【００３０】
図３は、本願発明に係る手摺り取付け構造Ａを示す部分断面説明図である。同図に示すように、凹溝部３１から切欠き段部２１に向けて形成された貫通孔５に固定手段７として用いたタッピングビスを挿通させる。タッピングビスを貫通孔５に挿通した後、該タッピングビスをドリル等で腰壁パネルＰに螺入し、さらに壁面Ｗを構成する躯体に螺着していく。このようにして、ドリル等でタッピングビスを腰壁パネルＰと躯体に固着することにより、手摺り本体１をしっかりと腰壁パネルＰに取付けることができる。
【００３１】
上記のようにして手摺り本体１を腰壁パネルＰに取付けた後、凹溝部３１はカバー部材８で塞がれる。カバー部材８は、ＡＢＳ樹脂等の合成樹脂からなり、凹溝部３１の形状、大きさに合わせて凹状に形成され、タッピングビスの頭等固定手段７が露出しないように嵌め込まれる。ここで、手摺り本体１の打込み面３とカバー部材８とが略面一となるように、カバー部材８を形成することによって、見栄えよく、また足腰弱体者が伝い歩きする際に手摺り本体１に寄りかかっても固定手段７に当たることなく、安全に使用することができる。
【００３２】
図３に示した上記した手摺り取付け構造Ａは、図２（ａ）に示す形態についてであるが、図２（ｂ）に示す形態も、同様にして手摺り本体１をしっかりと腰壁パネルＰに取付けることができる。
【００３３】
以上、本願発明に係る手摺り取付け構造Ａを床面に平行に取付ける実施形態について説明したが、階段等傾斜のある場所に取付けることも可能である。このように本願発明に係る手摺り取付け構造は設計変更自在であり、特許請求の範囲を逸脱しない限り、本願発明の技術的範囲に属する。
【符号の説明】
【００３４】
Ａ      本願発明に係る手摺り取付け構造
Ｐ      腰壁パネル
Ｗ      壁面
ｄ      切欠き段部の天井面と腰壁パネルの上端面との距離
１      手摺り本体
１１    下端面
１２    手掛部
１３    傾斜面
１４    水平面
２      腰壁パネルへの取付け固定面
２１    切欠き段部
２１１  天井面
３      固定手段の打込み面
３１    凹溝部
４      手摺り部
４１    上面
４２    壁面対向面
５      貫通孔
６      治具
７      固定手段
８      カバー部材
【図１】
2012246603.tif 000003
【図２】
2012246603.tif 000004
【図３】
2012246603.tif 000005